(57)【特許請求の範囲】
【請求項１】
対物レンズ付きレンズホルダがアクトベース上にフォーカス方向及び
トラッキング方向に移動可能に配置された光ピックアップにおいて、前記アクトベースか
ら左右一対のガイドレールがフォーカス方向に沿って切り起こされ、該両ガイドレール間
に配置されてその両ガイドレールにフォーカス方向に沿って移動可能に係合する平面視略
ロ字状の可動枠体が設けられ、該可動枠体の内部空間に前記対物レンズ付きレンズホルダ
が配置され、該レンズホルダと可動枠体との間に配置されてそのレンズホルダをトラッキ
ング方向に移動可能に支持する圧電素子が設けられ、前記レンズホルダ及び可動枠体を間
に挟んで対向する一対のマグネットがアクトベース上に固定され、該各マグネットに接近
して可動枠体の外周面に一対のフォーカスコイルが固着されており、該各フォーカスコイ
ルに通電して可動枠体を両ガイドレールに沿ってフォーカス方向に駆動することにより圧
電素子を介してレンズホルダも同方向に駆動し、圧電素子に通電することによりレンズホ
ルダをトラッキング方向に駆動するようにしたことを特徴とする光ピックアップ。
【発明の詳細な説明】
【技術分野】
【０００１】
本発明は、ＤＶＤやＣＤなどのディスクプレーヤに用いる光ピックアップに関する。
【背景技術】
【０００２】
従来、光ピックアップの技術として特許文献１などに記載したものがあり、その一例を
図１１〜図１３に基づいて説明すると、これは、対物レンズＯＬ付きレンズホルダ１がア
クトベース２上のガイドシャフト３にフォーカス方向ａ及びトラッキング方向ｂに移動可
能に配置されると共に、該レンズホルダ１にフォーカスコイル４とトラッキングコイル５
とが固着され、そのレンズホルダ１を間に挟んで対向する一対のマグネット６がアクトベ
ース２上に固定されている。なお、７は光ピックアップ本体８を貫通してアクトベース２
のねじ孔２ａに螺合する一対の角度調整ねじ、９はアクトベース２の挿通孔２ｂに挿通さ
れて光ピックアップ本体８に螺着された押さえねじ、１０は該押さえねじ９の頭部とアク
トベース２との間に介在させたコイルばね、ＱＷＰはコリメータレンズ、Ｄはディスクで
ある。
【０００３】
光ピックアップの作用を説明すると、レーザ光をコリメータレンズＱＷＰ及び対物レン
ズＯＬを介してディスクＤに投射し、各コイル４，５に通電することにより励磁して、レ
ンズホルダ１をガイドシャフト３に沿ってフォーカス方向ａ及びトラッキング方向ｂに駆
動し、対物レンズＯＬの焦点をディスクＤに合わせ所定のトラックに追従させる。
【特許文献１】特開平１−１６５９１９号公報
【発明の開示】
【発明が解決しようとする課題】
【０００４】
上記従来の構成では、レンズホルダ１の重量がフォーカスコイル４及びトラッキングコ
イル５を固着していることから比較的重く、しかも、そのレンズホルダ１がフォーカス方
向ａとトラッキング方向ｂとの２方向に同時に動いて相互に干渉しあうため、ブルーレイ
方式などのように狭トラック化が進むのに対応して対物レンズＯＬの焦点をディスクＤの
所定のトラックに高速で追従させることが困難である。
【０００５】
本発明は、上記従来の欠点に鑑み、狭トラック化に対応してトラック追従性を良好にし
た光ピックアップを提供することを目的としている。
【課題を解決するための手段】
【０００６】
上記目的を達成するため、請求項１に記載の発明は、対物レンズ付きレンズホルダがア
クトベース上にフォーカス方向及びトラッキング方向に移動可能に配置された光ピックア
ップにおいて、前記アクトベースから左右一対のガイドレールがフォーカス方向に沿って
切り起こされ、該両ガイドレール間に配置されてその両ガイドレールにフォーカス方向に
沿って移動可能に係合する平面視略ロ字状の可動枠体が設けられ、該可動枠体の内部空間
に前記対物レンズ付きレンズホルダが配置され、該レンズホルダと可動枠体との間に配置
されてそのレンズホルダをトラッキング方向に移動可能に支持する圧電素子が設けられ、
前記レンズホルダ及び可動枠体を間に挟んで対向する一対のマグネットがアクトベース上
に固定され、該各マグネットに接近して可動枠体の外周面に一対のフォーカスコイルが固
着されており、該各フォーカスコイルに通電して可動枠体を両ガイドレールに沿ってフォ
ーカス方向に駆動することにより圧電素子を介してレンズホルダも同方向に駆動し、圧電
素子に通電することによりレンズホルダをトラッキング方向に駆動するようにしたことを
特徴としている。
【発明の効果】
【０００７】
請求項１に記載の発明は、実施の一形態（図１〜図５参照）に対応するものであって、
これによれば、レンズホルダの重量がフォーカスコイル及びトラッキングコイルを固着し
ていない分だけ従来よりもかなり軽くなっており、しかも、フォーカス方向に移動可能な
可動枠体を別個に設けることにより、レンズホルダをトラッキング方向に駆動するだけで
よいから、ブルーレイ方式などのように狭トラック化が進むのに対応してトラック制御周
波数帯域を高く設定し、トラック追従性を良好にすることができる。
【０００８】
また、可動枠体とレンズホルダとの間に配置した圧電素子に通電することにより、該レ
ンズホルダのトラッキング方向への駆動制御を精密に行うことができる。
【０００９】
更に、可動枠体をフォーカス方向に移動可能に支持する一対のガイドレールがアクトベ
ースから切り起こされており、構造簡単で部品点数が増加せず、製作費を安くすることが
できる。
【発明を実施するための最良の形態】
【００１０】
図１〜図５は本発明の実施の一形態である光ピックアップを示すものであって、アクト
ベース２から左右一対のガイドレール１２が切り起こされ、該両ガイドレール１２間に平
面視略ロ字状の合成樹脂製可動枠体１３がフォーカス方向ａに移動可能に係合され、該可
動枠体１３の内部空間１３ａにレンズホルダ１が配置され、可動枠体１３の外周面にフォ
ーカスコイル４が固着され、可動枠体１３とレンズホルダ１との間に圧電素子１４が配置
されている。上記以外の構成は図１１〜図１３に示す構成とほぼ同じであるから、同一部
分に同一符号を付してその説明を省略する。
【００１１】
光ピックアップの作用を説明すると、レーザ光をコリメータレンズＱＷＰ及び対物レン
ズＯＬを介してディスクＤに投射し、フォーカスコイル４に通電することにより励磁して
、可動枠体１３をガイドレール１２に沿ってフォーカス方向ａに駆動することにより、圧
電素子１４を介してレンズホルダ１を同方向ａに駆動し、その駆動力を可動枠体１３とガ
イドレール１２との間のクーロン摩擦で減衰させる。また、圧電素子１４に通電すること
によりレンズホルダ１をトラッキング方向ｂに駆動し、対物レンズＯＬの焦点をディスク
Ｄに合わせて所定のトラックに追従させる。
【００１２】
上記構成によれば、レンズホルダ１の重量がフォーカスコイル４及びトラッキングコイ
ル５（図１１参照）を固着していない分だけ従来よりもかなり軽くなっており、しかも、
フォーカス方向ａに移動可能な可動枠体１３を別個に設けることにより、レンズホルダ１
をトラッキング方向ｂに駆動するだけでよいから、従来のようにレンズホルダ１がフォー
カス方向ａとトラッキング方向ｂとの２方向に同時に動いて相互に干渉しあうことが無く
なり、ブルーレイ方式などのように狭トラック化が進むのに対応してトラック制御周波数
帯域を５０ＫＨｚ以上に高く設定し、トラック追従性を良好にすることができる。
【００１３】
また、可動枠体１３とレンズホルダ１との間に配置した圧電素子１４に通電することに
より、該レンズホルダ１のトラッキング方向ｂへの駆動制御を精密に行うことができる。
【００１４】
更に、可動枠体１３をフォーカス方向ａに移動可能に支持する一対のガイドレール１２
がアクトベース２から切り起こされており、構造簡単で部品点数が増加せず、製作費を安
くすることができる。
【００１５】
図６〜図１０は本発明の参考例である光ピックアップを示すものであって、アクトベー
ス２に固着した支持部材１６ａと、該支持部材１６ａから延びて可動枠体１３に連結され
た複数の弾性ワイヤ１６ｂからなる支持機構１６により可動枠体１３がフォーカス方向ａ
及びトラッキング方向ｂに移動可能に支持されている。なお、１７は支持部材１６ａに係
止したプリント基板であって、各弾性ワイヤ１６ｂを介してトラッキングコイル５及び圧
電素子１４に通電する。上記以外の構成は実施の一形態（図１〜図５参照）とほぼ同じで
あるから、同一部分に同一符号を付してその説明を省略する。
【００１６】
光ピックアップの作用を説明すると、実施の一形態と同様に、レーザ光をコリメータレ
ンズＱＷＰ及び対物レンズＯＬを介してディスクＤに投射し、フォーカスコイル４に通電
することにより励磁して、可動枠体１３をフォーカス方向ａに駆動することにより、圧電
素子１４を介してレンズホルダ１を同方向ａに駆動する。また、圧電素子１４及びまたは
トラッキングコイル５に通電することにより、レンズホルダ１をトラッキング方向ｂに駆
動し、対物レンズＯＬの焦点をディスクＤに合わせて所定のトラックに追従させる。
【００１７】
ここで、例えばディスクＤのトラック幅が狭い場合には、圧電素子１４のみに通電して
レンズホルダ１を狭幅で微細に駆動して所定のトラックに追従させるか、トラッキングコ
イル５に通電してレンズホルダ１を広幅で駆動して所定のトラックに大まかに追従させる
と共に、圧電素子１４に通電してレンズホルダ１を狭幅で駆動して所定のトラックに微細
に追従させる。前者は、ディスクＤに狭小トラックが緻密に形成されている場合に適し、
後者は、狭小トラックを最短時間で追従する場合に適している。
【００１８】
また、例えばディスクＤのトラック幅が広い場合には、圧電素子１４に通電せず、トラ
ッキングコイル５のみに通電してレンズホルダ１を広幅で駆動して所定のトラックに追従
させる。この場合、広幅トラックを高速で追従する場合に適している。
【００１９】
以上要するに、ディスクＤのトラック幅やトラックの緻密度などに合わせて、圧電素子
１４のみを駆動、圧電素子１４とトラッキングコイル５とを駆動、トラッキングコイル５
のみを駆動するという３通りの使い分けを行うことができる。
【００２０】
上記構成によれば、実施の一形態とほぼ同じ効果を得るとことができ、特に、支持部材
１６ａ及び弾性ワイヤ１６ｂからなる支持機構１６により可動枠体１３をフォーカス方向
ａ及びトラッキング方向ｂに移動可能に確実に支持することができると共に、圧電素子１
４とトラッキングコイル５との相乗作用によりレンズホルダ１のトラッキング方向ｂへの
駆動制御を一層精密に行うことができる。
【図面の簡単な説明】
【００２１】
【図１】本発明の実施の一形態である光ピックアップの水平断面図である。
【図２】図１のＡ−Ａ矢視図である。
【図３】図１のＢ−Ｂ矢視図である。
【図４】同斜視図である。
【図５】同分解斜視図である。
【図６】本発明の参考例である光ピックアップの水平断面図である。
【図７】図１のＣ−Ｃ矢視図である。
【図８】図１のＤ−Ｄ矢視図である。
【図９】同斜視図である。
【図１０】同分解斜視図である。
【図１１】従来例を示す平面図である。
【図１２】図１１のＥ−Ｅ矢視図である。
【図１３】図１１のＦ−Ｆ矢視図である。
【符号の説明】
【００２２】
１        レンズホルダ
２        アクトベース
４        フォーカスコイル
５        トラッキングコイル
６        マグネット
１２      ガイドレール
１３      可動枠体
１３ａ    可動枠体の内部空間
１４      圧電素子
１６      支持機構
１６ａ    支持部材
１６ｂ    弾性ワイヤ
ＯＬ      対物レンズ
Ｄ        ディスク
ａ        フォーカス方向
ｂ        トラッキング方向
【図１】
0003799613.tif 000002
【図２】
0003799613.tif 000003
【図３】
0003799613.tif 000004
【図４】
0003799613.tif 000005
【図５】
0003799613.tif 000006
【図６】
0003799613.tif 000007
【図７】
0003799613.tif 000008
【図８】
0003799613.tif 000009
【図９】
0003799613.tif 000010
【図１０】
0003799613.tif 000011
【図１１】
0003799613.tif 000012
【図１２】
0003799613.tif 000013
【図１３】
0003799613.tif 000014